【手続補正書】
【提出日】平成15年12月10日(2003.12.10)
【手続補正１】
【補正対象書類名】明細書
【補正対象項目名】発明の名称
【補正方法】変更
【補正の内容】
【発明の名称】画像処理装置およびデータ処理方法


【手続補正２】
【補正対象書類名】明細書
【補正対象項目名】特許請求の範囲
【補正方法】変更
【補正の内容】
【特許請求の範囲】
【請求項１】
展開処理プログラムに基づいて、ネットワークを介して情報処理装置から入力される入力データを、画像形成装置が出力可能な出力データに展開処理する展開手段を備える画像処理装置であって、
前記展開処理プログラムを記憶する記憶手段と、
前記入力データを参照して、前記記憶手段に記憶されている現在の展開処理プログラムで展開処理可能かどうかを判断する判断手段と、
前記判断手段により展開処理不可と判断された場合に、前記ネットワーク上で展開処理プログラムを管理するサーバ装置から前記入力データを処理可能な展開処理プログラムを取得する取得手段と、
前記取得手段により取得された前記展開処理プログラムにより前記記憶手段に記憶されている現在の展開処理プログラムを自動更新する更新手段と、
を有することを特徴とする画像処理装置。
【請求項２】
前記展開処理プログラムに対する更新実行の可否を設定する設定手段と、
前記設定手段により設定されている前記展開処理プログラムに対する更新実行の可否状態に基づき、前記更新手段による更新実行または更新禁止を制御する制御手段と、
を有することを特徴とする請求項１記載の画像処理装置。
【請求項３】
前記展開手段は、前記更新手段による展開処理プログラムの更新終了後、該更新された展開処理プログラムに基づき、前記入力データを画像形成装置が出力可能な出力データに展開処理することを特徴とする請求項１記載の画像処理装置。
【請求項４】
前記取得手段により前記展開処理プログラムを前記サーバ装置から取得できたかどうかを判定する判定手段を有し、
前記展開手段は、前記判定手段により前記展開処理プログラムを前記サーバ装置から取得できないと判定された場合に、前記記憶手段に記憶されている現在の展開処理プログラムにより前記入力データ中で展開処理可能な入力データを画像形成装置が出力可能な出力データに展開処理することを特徴とする請求項１記載の画像処理装置。
【請求項５】
前記取得手段により前記展開処理プログラムを前記サーバ装置から取得できたかどうかを判定する判定手段と、
前記判定手段により前記展開処理プログラムを前記サーバ装置から取得できないと判定された場合に、その旨を前記入力データの入力元となる画像情報処理装置に通知する通知手段と、
を有することを特徴とする請求項１記載の画像処理装置。
【請求項６】
前記取得手段により前記展開処理プログラムを前記サーバ装置から取得できたかどうかを判定する判定手段を有し、
前記展開手段は、前記判定手段により前記展開処理プログラムを前記サーバ装置から取得できないと判定された場合に、前記入力データに対する処理を中止することを特徴とする請求項１記載の画像処理装置。
【請求項７】
前記通知手段は、前記判定手段により前記展開処理プログラムを前記サーバ装置から取得できないと判定された場合に、前記展開手段により前記入力データに対する処理が中止されたことを前記入力データの入力元となる画像情報処理装置に通知可能とすることを特徴とする請求項１記載の画像処理装置。
【請求項８】
前記判断手段は、前記入力データ中で指定可能な前記画像形成装置に対する機能指定情報を参照して、前記記憶手段に記憶されている現在の展開処理プログラムで展開処理可能かどうかを判断することを特徴とする請求項１記載の画像処理装置。
【請求項９】
前記画像形成装置は、デジタルカラー複写機であることを特徴とする請求項１記載の画像処理装置。
【請求項１０】
前記画像形成装置は、プリンタであることを特徴とする請求項１記載の画像処理装置。
【請求項１１】
展開処理プログラムに基づいて、ネットワークを介して情報処理装置から入力される入力データを、画像形成装置が出力可能な出力データに展開処理する画像処理装置におけるデータ処理方法であって、
前記展開処理プログラムにより画像形成装置が出力可能な出力データに展開処理する展開ステップと、
前記入力データを参照して、展開処理プログラムを記憶する記憶手段に記憶されている現在の展開処理プログラムで展開処理可能かどうかを判断する判断ステップと、
前記判断ステップにより展開処理不可と判断された場合に、前記ネットワーク上で展開処理プログラムを管理するサーバ装置から前記入力データを処理可能な最新の展開処理プログラムを取得する取得ステップと、
前記取得ステップにより取得された前記展開処理プログラムにより前記記憶手段に記憶されている現在の展開処理プログラムを自動更新する更新ステップと、
を有することを特徴とするデータ処理方法。
【手続補正３】
【補正対象書類名】明細書
【補正対象項目名】０００１
【補正方法】変更
【補正の内容】
【０００１】
【発明の属する技術分野】
本発明は、ネットワークを介して情報処理装置から入力される入力データを展開橇プログラムに基づき、画像形成装置が出力可能な出力データに展開処理する展開手段を備える画像処理装置およびデータ処理方法に関するものである。


【手続補正４】
【補正対象書類名】明細書
【補正対象項目名】０００５
【補正方法】変更
【補正の内容】
【０００５】
本発明は、上記の問題点を解決するためになされたもので、本発明の目的は、入力データを参照して、記憶手段に記憶されている現在の展開処理プログラムで展開処理可能かどうかを判断した際に、展開処理不可と判断された場合に、ネットワーク上で展開処理プログラムを管理するサーバ装置から入力データを処理可能な最新の展開処理プログラムを取得し、該取得された最新の展開処理プログラムにより記憶手段に記憶されている現在の展開処理プログラムを自動更新することにより、記憶されている展開処理プログラムでは正常に処理できない入力データが入力された場合でも、入力データに対する展開処理開始前の適時に自動的に最適な展開処理プログラムを取得できるため、ユーザによる展開処理プログラム取得操作負担を軽減できるとともに、展開処理プログラムが入力データに対応できずに、正常に出力できなくなる事態を回避できるとともに、正常に出力できない場合には、その旨をユーザに通知して、正常出力可能な入力データを展開処理することができる利便性に優れた展開処理を実行できる画像処理環境を自在に構築することが可能な画像処理装置およびデータ処理方法を提供することである。


【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００８４
【補正方法】変更
【補正の内容】
【００８４】
【発明の効果】
以上説明したように、本発明によれば、入力データを参照して、記憶手段に記憶されている現在の展開処理プログラムで展開処理可能かどうかを判断した際に、展開処理不可と判断された場合に、ネットワーク上で展開処理プログラムを管理するサーバ装置から入力データを処理可能な展開処理プログラムを取得し、該取得された展開処理プログラムにより記憶手段に記憶されている現在の展開処理プログラムを自動更新することにより、記憶されている展開処理プログラムでは正常に処理できない入力データが入力された場合でも、入力データに対する展開処理開始前の適時に自動的に最適な展開処理プログラムを取得できるため、ユーザによる展開処理プログラム取得操作負担を軽減できるとともに、展開処理プログラムが入力データに対応できずに、正常に出力できなくなる事態を回避できるとともに、正常に出力できない場合には、その旨をユーザに通知して、正常出力可能な入力データを展開処理することができる利便性に優れた展開処理を実行できる画像処理環境を自在に構築することが可能である。


【手続補正１７】
【補正対象書類名】明細書
【補正対象項目名】００８５
【補正方法】変更
【補正の内容】
【００８５】
また、展開処理不可と判断された時点で、ネットワーク上で展開処理プログラムを管理するサーバ装置から入力データを処理可能な展開処理プログラムを取得して上書き更新することにより、余分な展開処理プログラムを記憶する必要がなく、記憶手段の記憶容量を軽減することが可能である。